【事件の表示】
　特願２０１６−２６３４２号「遊技情報表示装置」拒絶査定不服審判事件〔平成２９年８月２４日出願公開、特開２０１７−１４３９１５号〕について、次のとおり審決する。
【結　論】
　本件審判の請求は、成り立たない。
【理　由】
１　手続の経緯の概要
　本願は、平成２８年２月１５日の出願であって、平成２９年２月２３日付けで拒絶の理由が通知され、同年４月２４日に意見書及び手続補正書が提出されたところ、同年９月７日付け（発送日：同年９月１２日）で拒絶査定がなされ、それに対して、同年１１月２７日に拒絶査定不服審判の請求がなされると同時に手続補正がなされ、平成３０年１月１５日付けで最後の拒絶の理由が通知され、同年３月２２日に意見書及び手続補正書が提出されたものである。
　
２　本願発明
　平成３０年３月２２日付け手続補正は、補正前の平成２９年１１月２７日付け手続補正書の特許請求の範囲の請求項１〜２のうち、請求項２を削除するものであるので、特許法第１７条の２第５項第１号に掲げる請求項の削除を目的とするものに該当する。
　そして、本願の請求項１に係る発明（以下「本願発明」という。）は、平成３０年３月２２日付け手続補正書の特許請求の範囲の請求項１に記載された次のとおりのものである。
「Ａ　遊技者にとって有利な特別状態を有する遊技機と共に設けられ、該遊技機に関する情報を表示する表示部を有する遊技情報表示装置であって、
Ｂ　前記遊技機で行われる遊技の進行に伴って、該遊技機から出力される遊技進行情報を取得する遊技進行情報取得手段と、
Ｃ　前記遊技進行情報に基づいて、前記遊技機での特別状態の発生期待度を推定する発生期待度推定手段と、
Ｄ　前記発生期待度の推定結果に応じて、前記表示部の表示態様を変更する表示制御手段と
　を備え、
Ｅ　前記表示制御手段は、前記表示部に表示される前記遊技機に関する情報を所定の操作部の操作に応じて切り替えることで前記遊技機に関する各種情報を表示させるとともに、前記発生期待度の推定結果に応じた表示演出を実行する条件が成立すると、該遊技機に関する情報に変えて、前記発生期待度の推定結果に応じた表示演出を実行するものであり、
Ｆ　前記操作部の操作が行われてから、所定時間が経過するまでは、前記発生期待度の推定結果に応じた表示演出を実行する条件が成立しても、前記表示制御手段が前記表示演出を実行させることを制限する制限手段を備える
　ことを特徴とする遊技情報表示装置。」（Ａ〜Ｆは、当審にて分説して付与した。）
　
３　刊行物に記載された発明
　平成３０年１月１５日付け最後の拒絶の理由に引用された、本願の出願前に頒布された刊行物である特開２０１０−７５２９７号公報には、次の事項が記載されていると認められる（下線は当審にて付与した。）。
　
　・記載事項
　ア　「【技術分野】
【０００１】
　この発明は、ぱちんこ遊技機などの遊技機のうち、図柄変動をおこなう遊技機に対して演出をおこなう、演出制御装置、遊技媒体貸出装置、遊技機用呼出ランプ、演出制御方法、演出制御プログラムに関する。」
　
　イ　「【発明が解決しようとする課題】
【０００５】
　しかしながら、上述した特許文献１の技術や従来の技術では、大当たり時や確変時のみにしか呼出ランプを用いた演出をおこなうことができず、すなわち、図柄変動中などの通常の遊技状態において、呼出ランプ等を用いた演出をおこなうことができないといった問題があった。また、近年の遊技機は、演出において多彩な画面演出が用意されている。このような多彩な画面演出が遊技機に用意されているにもかかわらず、それらを呼出ランプ等の他の装置にて有効に活用できていないといった問題があった。
【０００６】
　この発明は、上述した従来技術による問題点を解消するため、遊技機の画面演出に応じて、当該画面演出を引き立てる演出をおこなうことのできる演出制御装置、遊技媒体貸出装置、遊技機用呼出ランプ、演出制御方法、演出制御プログラムを提供することを目的とする。」
　
　ウ　「【００２９】
　遊技機２１０は、ホールＨに設置される、ぱちんこ遊技機である。この遊技機２１０は、リーチ演出をおこなう遊技機であり、いわゆるデジパチタイプのものである。デジパチタイプの
遊技機２１０は、
大当たりとなった際
・・・
【００３１】
　また、
遊技機２１０は、遊技の進行にともなって発生する遊技情報を遊技媒体貸出装置２２０に送信する
遊技情報は、遊技球の始動入賞、図柄の変動開始、図柄の確定、大当たりの発生、確率変動状態の発生、スタート回数などを示す情報など
【００３２】
　
遊技媒体貸出装置２２０は、
隣接する遊技機２１０と一対一で設置／接続され
　
　エ　「【００３７】
（遊技媒体貸出装置２２０の外観）
　つぎに、図３を用いて、本実施の形態にかかる遊技媒体貸出装置２２０の外観について説明する。図３は、遊技媒体貸出装置２２０の一例を示す外観図である。図３において、
遊技媒体貸出装置２２０は、
液晶ディスプレイ３０９
を備えている。
・・・
【００４２】
　液晶ディスプレイ３０９は、ガイドレール３０９ａが設けられており、当該ガイドレール３０９ａと遊技媒体貸出装置２２０の筐体に設けられた不図示のガイドレールとで構成されるスライド機構により、収納自在にスライドする構成になっている。この
液晶ディスプレイ３０９は、
当日や前日などの遊技情報、スタート回数の情報、飲食サービスなどの情報を表示することが可能になっている
　
　オ　「【００４４】
　
ＣＰＵ４０１は、遊技媒体貸出装置２２０全体の制御を司る。ＲＯＭ４０２は、
演出制御プログラム
を記録している。
遊技機２１０から受信した始動入賞信号または図柄確定信号に基づいて、図柄変動時間が予め設定されている規定の時間以上である場合に、
液晶ディスプレイ３０９に所定の映像（スーパーリーチがおこなわれている旨を示す映像）を出力させる
・・・
【００４６】
　演出内容特定プログラムは、通信Ｉ／Ｆ４１０により遊技機２１０から受信した始動入賞信号または図柄確定信号に基づいて、図柄変動の開始から終了までの時間である図柄変動所要時間を算出するとともに、算出した図柄変動所要時間を用いて、後述するリーチテーブルからリーチ演出内容を特定するプログラムである。
・・・
【００５０】
　ディスプレイ３０２（
液晶ディスプレイ３０９
には、
スーパーリーチである旨を示す情報、
当日や前日などの遊技情報、スタート回数の情報、飲食サービスなどの情報などが表示される。
　
　カ　「【００６１】
　図５に戻り、
受信部５０３は、遊技機２１０から、
始動入賞信号、または
図柄確定信号を受信する。
【００６２】
　計時部５０４は、受信部５０３が受信した始動入賞信号または図柄確定信号に基づいて、図柄変動時間を計時する。
計時部５０４によって計時される図柄変動時間
始動入賞信号を受信してから現在までの時間
　
　キ　「【０１１０】
　図９−２において、
呼出ランプ２３０は、遊技機２１０の上部に配置されている。
呼出ランプ２３０は、データ表示部９２１
からなる。
データ表示部９２１には、不図示の選択ボタンが設けられており、遊技者が操作することにより、たとえば、前日や直近３日間の大当たり回数、確変回数、大当たり確率などのほか、過去最高の大当たり回数、大当たり間を棒グラフにて示した棒グラフデータなどを表示することも可能である。
・・・
【０１１６】
　図９−３において、
液晶ディスプレイ３０９
は、遊技機２１０においてスーパーリーチが発生している旨の情報を表示し
この演出は、
液晶ディスプレイ３０９に、遊技者が所望するデータ情報や飲食サービスなどの情報等の表示画面が表示されていないときに表示される。
液晶ディスプレイ３０９に、遊技者が所望する表示画面が表示されている際には、
【０１１７】
　また、
ここでは、規定の時間として６０秒経過した場合に、液晶ディスプレイ３０９に文字情報を表示させるようにしているが、これに加え、
７５秒経過した場合に、文字を大きくさせ、９０秒経過した場合に、文字の色を黒色から赤色に変更するなどして、スーパーリーチの長さに応じて、すなわち、大当たりの期待度に応じて、期待感を高めるように、液晶ディスプレイ３０９による表示形式を異ならせる
　
　ク　「【０１５４】
　グラフ１６００は、たとえば、
遊技者からの遊技媒体貸出装置２２０の操作ボタン３０３等に対する操作により、スーパーリーチのグラフ表示が選択されると、液晶ディスプレイ３０９から表示出力される。
遊技者は、
遊技する台の選択などに役立てることができる。
　
・認定事項
　ケ　【００５０】に「…液晶ディスプレイ３０９…には、スーパーリーチである旨を示す情報、…当日や前日などの遊技情報、スタート回数の情報、飲食サービスなどの情報などが表示される。」と記載され、
【００４４】に「ＣＰＵ４０１は、遊技媒体貸出装置２２０全体の制御を司る。…遊技機２１０から受信した始動入賞信号または図柄確定信号に基づいて、図柄変動時間が予め設定されている規定の時間以上である場合に、…液晶ディスプレイ３０９に所定の映像（スーパーリーチがおこなわれている旨を示す映像）を出力させる」と記載され、
【０１１７】に「…規定の時間として６０秒経過した場合に、液晶ディスプレイ３０９に文字情報を表示させるようにしている…」と記載され、
【０１５４】に「遊技者からの遊技媒体貸出装置２２０の操作ボタン３０３等に対する操作により、スーパーリーチのグラフ表示が選択されると、液晶ディスプレイ３０９から表示出力される。」と記載されている。
　さらに、【０１１０】に、遊技機２１０の上部に配置されている「呼出ランプ２３０」の「データ表示部９２１」に関してではあるが、「データ表示部９２１には、不図示の選択ボタンが設けられており、遊技者が操作することにより、たとえば、前日や直近３日間の大当たり回数、確変回数、大当たり確率などのほか、過去最高の大当たり回数、大当たり間を棒グラフにて示した棒グラフデータなどを表示することも可能である。」ことが記載されている。
　これらの記載からみて、ＣＰＵ４０１は、「液晶ディスプレイ３０９」に表示される「情報」のうち、「スーパーリーチである旨を示す情報」については、所定の条件が成立した場合に表示する制御を行い、その外の「当日や前日などの遊技情報」、「スタート回数の情報」、「飲食サービスなどの情報」については、「スーパーリーチのグラフ」と同様、遊技者が操作ボタン３０３を操作することにより、表示されていた情報に換えて表示する制御を行うものであるといえる。
　したがって、刊行物には、
ＣＰＵ４０１が、液晶ディスプレイ３０９に、「当日や前日などの遊技情報」、「スタート回数の情報」、「飲食サービスなどの情報」を、遊技者が操作ボタン３０３を操作することにより、それまで表示されていた情報に換えて表示させ、図柄変動時間が予め設定されている規定の時間（６０秒）以上である場合に、所定の映像（スーパーリーチがおこなわれている旨を示す映像）を、それまで表示されていた情報に換えて表示させる
　
　コ　上記ア〜クの記載事項、及び、上記ケの認定事項を踏まえると、刊行物には、次の発明（以下「刊行物発明」という。）が記載されているものと認められる（ａ〜ｆは、本願発明のＡ〜Ｆに対応させて付与した。）。
「ａ　隣接する、大当たりとなることのある遊技機２１０と一対一で設置／接続され（【００２９】、【００３２】）、
　当日や前日などの遊技情報、スタート回数の情報、飲食サービスなどの情報を表示可能な液晶ディスプレイ３０９を備える遊技媒体貸出装置２２０（【００３７】、【００４２】）であって、
　ｂ　遊技機２１０から、遊技の進行にともなって発生する、遊技球の始動入賞、図柄の変動開始、図柄の確定、大当たりの発生、確率変動状態の発生、スタート回数などを示す情報などの遊技情報を受信する受信部５０３（【００３１】、【００６１】）と、
　ｃ　始動入賞信号を受信してから現在までの図柄変動時間を計時する、時間計時部５０４（【００６２】）を備え、
　ｄ　ＲＯＭ４０２に記録されている演出内容特定プログラムにより、図柄変動時間が予め設定されている規定の時間以上である場合に、液晶ディスプレイ３０９に所定の映像（スーパーリーチがおこなわれている旨を示す映像）を出力するＣＰＵ４０１（【００４４】）とを備え、
　ｅ　ＣＰＵ４０１は、
　液晶ディスプレイ３０９に、「当日や前日などの遊技情報」、「スタート回数の情報」、「飲食サービスなどの情報」を、遊技者が操作ボタン３０３を操作することにより、それまで表示されていた情報に換えて表示させ、図柄変動時間が予め設定されている規定の時間（６０秒）以上である場合に、所定の映像（スーパーリーチがおこなわれている旨を示す映像）を、それまで表示されていた情報に換えて表示させ（認定事項ケ）、
　規定の時間として６０秒経過した場合に、液晶ディスプレイ３０９に文字情報を表示させることに加え、７５秒経過した場合に、文字を大きくさせ、９０秒経過した場合に、文字の色を黒色から赤色に変更するなどして、スーパーリーチの長さに応じて、すなわち、大当たりの期待度に応じて、期待感を高めるように、液晶ディスプレイ３０９による表示形式を異ならせ（【０１１７】）、
　ｆ　液晶ディスプレイ３０９に、遊技者が所望する表示画面が表示されていないときに、遊技機２１０においてスーパーリーチが発生している旨を示す映像を表示する（【００４４】、【０１１６】）
　遊技媒体貸出装置２２０。」
　
４　対比
　本願発明と刊行物発明とを対比する。
（ａ）刊行物発明における「大当たり」、「当日や前日などの遊技情報、スタート回数の情報」、「液晶ディスプレイ３０９」は、それぞれ、本願発明における「遊技者にとって有利な特別状態」、「遊技機に関する情報」、「表示部」に相当する。
　したがって、刊行物発明における構成ａの「遊技媒体貸出装置２２０」は、本願発明における構成Ａの「遊技情報表示装置」に相当する。
　
（ｂ）刊行物発明における「遊技機２１０から」出力される「遊技の進行にともなって発生する、遊技球の始動入賞、図柄の変動開始、図柄の確定、大当たりの発生、確率変動状態の発生、スタート回数などを示す情報」は、本願発明における「遊技機で行われる遊技の進行に伴って、該遊技機から出力される遊技進行情報」に相当する。
　そして、刊行物発明における「受信する」ことは、本願発明における「取得する」ことに相当する。
　したがって、刊行物発明における構成ｂの「受信部５０３」は、本願発明における構成Ｂの「遊技進行情報取得手段」に相当する。
　
（ｃ）刊行物発明における「始動入賞信号」は、本願発明における「遊技進行情報」に相当する。
　そして、刊行物発明における「始動入賞信号を受信してから現在までの図柄変動時間」に対応する「スーパーリーチの長さ」に関して、構成ｅに「スーパーリーチの長さに応じて、すなわち、大当たりの期待度に応じて、期待感を高めるように、液晶ディスプレイ３０９による表示形式を異ならせ」ることが特定されている。
　したがって、刊行物発明における「始動入賞信号を受信してから現在までの図柄変動時間を計時する」ことは、本願発明における「遊技機での特別状態の発生期待度を推定する」ことに相当する。
　よって、刊行物発明における構成ｃの「時間計時部５０４」は、本願発明における構成Ｃの「発生期待度推定手段」に相当する。
　
（ｄ）刊行物発明における「図柄変動時間」は、構成ｅによると、その「長さ」が「大当たりの期待度」を表すものであることから、本願発明における「発生期待度」に相当する。
　そうすると、刊行物発明における「図柄変動時間が予め設定されている規定の時間以上である場合」は、本願発明における「発生期待度の推定結果に応じ」た「条件」の「成立」に相当する。
　刊行物発明における「液晶ディスプレイ３０９に所定の映像（スーパーリーチがおこなわれている旨を示す映像）を出力する」ことは、本願発明における「表示部の表示態様を変更する」ことに相当する。
　したがって、刊行物発明における構成ｄの「ＣＰＵ４０１」は、本願発明における構成Ｄの「表示制御手段」としての機能を有する。
　
（ｅ）刊行物発明における「液晶ディスプレイ３０９」に「表示させ」る「当日や前日などの遊技情報」、「スタート回数の情報」は、本願発明における「表示部に表示される遊技機に関する情報」、及び、「遊技機に関する各種情報」に相当する。
　そして、刊行物発明における「遊技者が操作ボタン３０３を操作することにより、それまで表示されていた情報に換えて表示させ」ることは、本願発明における「所定の操作部の操作に応じて切り替えることで」「表示させる」ことに相当する。
　また、刊行物発明における「所定の映像（スーパーリーチがおこなわれている旨を示す映像）」は、本願発明における「発生期待度の推定結果に応じた表示演出」に相当することから、刊行物発明における「図柄変動時間が予め設定されている規定の時間（６０秒）以上である場合に、所定の映像（スーパーリーチがおこなわれている旨を示す映像）を、それまで表示されていた情報に換えて表示させ」ることは、本願発明における「発生期待度の推定結果に応じた表示演出を実行する条件が成立すると、該遊技機に関する情報に変えて、発生期待度の推定結果に応じた表示演出を実行する」ことに相当する。
　したがって、刊行物発明における構成ｅは、本願発明における構成Ｅに相当する。
　
（ｆ）刊行物発明において、「遊技機２１０においてスーパーリーチが発生している旨を示す映像を表示する」のは、「液晶ディスプレイ３０９に、遊技者が所望する表示画面が表示されていないとき」であることから、刊行物発明は、構成ｅにより特定される「図柄変動時間が予め設定されている規定の時間（６０秒）以上である場合」となったとしても、「遊技者が所望する表示画面が表示されて」いるという条件が成立している間は、「遊技機２１０においてスーパーリーチが発生している旨を示す映像を表示する」ことが制限されているといえる。
　したがって、刊行物発明における「液晶ディスプレイ３０９に、遊技者が所望する表示画面が表示されていないときに、遊技機２１０においてスーパーリーチが発生している旨を示す映像を表示する」ことと、本願発明における「操作部の操作が行われてから、所定時間が経過するまでは、発生期待度の推定結果に応じた表示演出を実行する条件が成立しても、表示制御手段が表示演出を実行させることを制限する制限手段を備える」こととは、「所定条件が成立るまでは、発生期待度の推定結果に応じた表示演出を実行する条件が成立しても、表示制御手段が表示演出を実行させることを制限する制限手段を備える」ことで共通する。
　
　上記（ａ）〜（ｆ）における対比から、本願発明と刊行物発明とは、
「Ａ　遊技者にとって有利な特別状態を有する遊技機と共に設けられ、該遊技機に関する情報を表示する表示部を有する遊技情報表示装置であって、
Ｂ　前記遊技機で行われる遊技の進行に伴って、該遊技機から出力される遊技進行情報を取得する遊技進行情報取得手段と、
Ｃ　前記遊技進行情報に基づいて、前記遊技機での特別状態の発生期待度を推定する発生期待度推定手段と、
Ｄ　前記発生期待度の推定結果に応じて、前記表示部の表示態様を変更する表示制御手段と
　を備え、
Ｅ　前記表示制御手段は、前記表示部に表示される前記遊技機に関する情報を所定の操作部の操作に応じて切り替えることで前記遊技機に関する各種情報を表示させるとともに、前記発生期待度の推定結果に応じた表示演出を実行する条件が成立すると、該遊技機に関する情報に変えて、前記発生期待度の推定結果に応じた表示演出を実行するものであり、
Ｆ’所定条件が成立するまでは、前記発生期待度の推定結果に応じた表示演出を実行する条件が成立しても、前記表示制御手段が前記表示演出を実行させることを制限する制限手段を備える
　遊技情報表示装置。」
　の点で一致し、構成Ｆに関し、次の点で相違する。
　
［相違点］（構成Ｆについて）
　制限手段により表示演出の実行を制限させる条件に関して、本願発明は、操作部の操作が行われてから、所定時間が経過するまでという条件であるのに対して、刊行物発明は、そのような構成を備えるか明らかでない点。
　
５　当審の判断
（１）相違点について
　上記相違点について検討する。
　遊技機の技術分野において、遊技者が、遊技台の選定をするための所望する遊技情報を容易に得られるように、遊技機に付属する表示部に、遊技者が操作部を操作することにより、所望の情報を表示可能とし、当該情報の表示を所定時間保持させることは、本願出願前に周知の技術事項である（例えば、特開２００１−６２０７５号公報の【０００２】、【０００４】〜【０００６】、【００５４】、【図２】には、遊技者が、遊技機を選択する際の参考となる遊技情報を得られるように、パチンコ機２の上部に設けた表示ユニット９に、データボタン５５を１回操作することで前日の遊技情報を所定時間表示させ、所定時間内に再度データボタン５５を操作することで前々日の遊技情報を所定時間表示させることが記載され、
　特開２００８−１９４１４７号公報の【００２６】、【００３２】、【００４４】、【００５１】、【図４】には、遊技者が、優秀台を選ぶための所望する遊技データを容易に視ることができるように、パチンコ機２の上部に設けられているデータ表示部３０に、切換ボタン３８を操作することにより表示された過去１０回から過去１９回の大当り間スタート回数の棒グラフ、及び、過去２０回から過去２９回の大当り間スタート回数の棒グラフの表示を所定時間保持することが記載されている。）。
　
　そして、刊行物発明と上記周知の技術事項とは、遊技機に付属する表示部に遊技者の所望する遊技情報を表示する構成を備える点で共通する。
　
　また、刊行物発明は、液晶ディスプレイ３０９に、遊技者が所望する遊技情報を表示するものである。さらに、刊行物の【０１５４】に、スーパーリーチのグラフを液晶ディスプレイ３０９に表示することにより、「遊技者は」、「遊技する台の選択などに役立てることができる。」と記載されている。
　したがって、刊行物発明は、遊技者が遊技台を選択するための所望する遊技情報を容易に得られるという効果を奏するものである。
　ゆえに、刊行物発明と上記周知の技術事項とは、遊技者が、遊技台の選定をするための所望する遊技情報を容易に得られるという共通の効果を奏するものである。
　よって、刊行物発明における、ＣＰＵ４０１による液晶ディスプレイ３０９での遊技情報の表示制御の技術に上記周知の技術事項を適用して、「図柄変動時間が予め設定されている規定の時間以上である場合」であっても、「遊技者が操作ボタン３０３を操作することにより」表示される、遊技者が所望する「遊技情報」の表示を、操作ボタン３０３の操作後の所定時間保持させるように制御し、上記相違点に係る本願発明の構成とすることは当業者が容易になし得たものである。
　
（２）請求人の主張について
　平成３０年３月２２日付け意見書において、請求人は、「３．本願が特許されるべき理由」と題して、「（３）ところが、本願の遊技情報表示装置では、操作部を操作することによって、表示部に表示される遊技機に関する各種情報を切り替えられるようになっています。そして、本願の明細書の段落００９１に記載されているように、操作部の操作によって表示部に表示されている各種情報が切り替えられたと言うことは、遊技者が遊技機に関する情報を確認したいと思っている可能性が高いと考えられ、この場合は、
表示部の表示を直ちに表示演出に切り替えると遊技者が不都合を感じる数少ない例外となり得ます。
　
そこで、本願の遊技情報表示装置では、操作部の操作が行われてから、所定時間が経過するまでは、発生期待度の推定結果に応じた表示演出を実行する条件が成立しても、表示演出を開始しないことによって、遊技者が不都合を感じないようにしている
（４）こうした点は、引用文献１には全く記載がありません。また、如何に当業者と言えども、何の記載も無い引用文献１から容易に想到し得たとは考えられません。」（第２頁下１１〜下１行）と主張する。
　
　そこで、請求人の上記主張について検討する。
　刊行物発明は、液晶ディスプレイ３０９に、遊技者が所望する表示画面が表示されていないときに、遊技機２１０においてスーパーリーチが発生している旨を示す映像を表示するものであって、「遊技者が所望する表示画面が表示されて」いるときには、「図柄変動時間が予め設定されている規定の時間以上である場合」（構成ｄ）であっても、その遊技情報の表示を優先する表示制御を行うものであって、「スーパーリーチが発生している旨を示す映像」の表示に、直ちに切り換える表示制御を行うものではない。
　そして、上記（１）において示したように、遊技機に付属する表示部に、遊技者が操作部を操作することにより所望の情報を表示した場合、当該情報の表示を所定時間保持させることは、本願出願前に周知の技術事項である。
　さらに、上記（１）において検討したように、刊行物発明における液晶ディスプレイ３０９での遊技者が所望する遊技情報の表示に上記周知の技術事項を適用して、「図柄変動時間が予め設定されている規定の時間以上である場合」であっても、「遊技者が操作ボタン３０３を操作することにより」表示される「遊技情報」の表示を、操作ボタン３０３の操作後の所定時間保持するように表示制御を行い、上記相違点に係る本願発明の構成とすることは当業者が容易になし得たものである。
　したがって、上記請求人の主張を採用することはできない。
　
（３）小括
　本願発明により奏される効果は、当業者が、刊行物発明及び上記周知の技術事項から予測し得る効果の範囲内のものであって、格別のものではない。
　よって、本願発明は、刊行物発明及び周知の技術事項に基いて、当業者が容易に発明をすることができたものである。
　
６　むすび
　以上のとおりであるから、本願発明は、特許法第２９条第２項の規定により特許を受けることができない。
　したがって、本願は拒絶すべきものである。
　よって、結論のとおり審決する。